(57)【要約】【課題】２方向に開閉し、簡単な構造であり、安定に動作し、意匠性に優れるコンソールボックスを提供すること。【解決手段】コンソールボックスのリッドをインナー部材２とカバー部材３とで構成し、インナー部材２をケース本体１に対して回動させ、カバー部材３をインナー部材２に対して回動させることで、コンソールボックスを交叉する２方向に開閉させる。そして、インナー部材２がインナー開位置に配置されているときにカバー部材３のカバー閉位置からの回動を抑止するためのカバー補助ロック手段６と、カバー部材３がカバー開位置に配置されているときにインナー部材２のインナー閉位置からの回動を抑止するためのインナー補助ロック手段７と、を設けることで、インナー部材２やカバー部材３のバタツキを抑制する。【選択図】図１
2009120123.tif 000002
【特許請求の範囲】
【請求項１】
第１開口を持つ箱状をなすケース本体と、
第２開口を持つ枠状をなし、該ケース本体に枢支され、該第２開口を該第１開口に向けつつ該第１開口に近接するインナー閉位置と該第１開口から離間するインナー開位置との間を第１の方向に回動するインナー部材と、
該インナー部材に枢支され、該第２開口に近接するカバー閉位置と該第２開口から離間するカバー開位置との間を該第１の方向と交叉する第２の方向に回動するカバー部材と、
該インナー部材を該インナー閉位置で該ケース本体にロックするインナーロック手段と、
該カバー部材を該カバー閉位置で該インナー部材にロックするカバーロック手段と、
該カバー部材が該カバー開位置に配置されているときに、該インナー部材の該インナー閉位置から該インナー開位置への回動を抑止するインナー補助ロック手段と、
該インナー部材が該インナー開位置に配置されているときに、該カバー部材の該カバー閉位置から該カバー開位置への回動を抑止するカバー補助ロック手段と、を持つことを特徴とするコンソールボックス。
【請求項２】
前記インナー補助ロック手段は、前記カバー部材が前記カバー開位置に配置されているときに、前記インナーロック手段のロック解除動作に干渉し、
前記カバー補助ロック手段は、前記インナー部材が前記インナー開位置に配置されているときに、前記カバーロック手段のロック解除動作に干渉する請求項１に記載のコンソールボックス。
【請求項３】
前記インナー補助ロック手段は、前記カバー部材が前記カバー閉位置以外の位置に配置されているときに、前記インナーロック手段のロック解除動作に干渉し、
前記カバー補助ロック手段は、前記インナー部材が前記インナー閉位置以外の位置に配置されているときに、前記カバーロック手段のロック解除動作に干渉する請求項１または請求項２に記載のコンソールボックス。
【請求項４】
前記カバー補助ロック手段および前記インナー補助ロック手段は、前記インナー部材の内部に設けられている請求項１〜請求項３の何れか一つに記載のコンソールボックス。
【発明の詳細な説明】
【技術分野】
【０００１】
本発明は、車室内に搭載されるコンソールボックスに関する。
【背景技術】
【０００２】
車室内に搭載されるコンソールボックスとしては、従来から、種々のものが知られている。コンソールボックスは、箱状をなすケース本体と、ケース本体に枢支されてケース本体の開口を開閉するリッドとを持つ。リッドは、ケース本体の長手方向に直交する方向に沿って軸支するか、または、ケース本体の長手方向に沿って軸支するのが一般的である。以下、リッドがケース本体の長手方向に沿って軸支されてなるコンソールボックスを横開き型のコンソールボックスと呼び、リッドがケース本体の長手方向に直交する方向に沿って軸支されてなるコンソールボックスを縦開き型のコンソールボックスと呼ぶ。
【０００３】
横開き型のコンソールボックスは、開閉操作の際にユーザーに大きな動作を要求しない。このため横開き型のコンソールボックスは操作性に優れる。一方、縦開き型のコンソールボックスは、直感的に操作し易い利点がある。
【０００４】
ところで、現在では縦開き型のコンソールボックスが主流であるため、ユーザーによっては横開き型のコンソールボックスを縦方向に開操作する可能性がある。この場合には、ユーザーにストレスを与える可能性がある。また、開操作の際に大きな荷重が加わればリッドが変形する可能性もある。このため近年では、縦横両方向に開く縦横開き型のコンソールボックスが提案されている（例えば、特許文献１参照）。
【０００５】
特許文献１に紹介されているコンソールボックスは、縦横両方向に開くために操作性に優れる。しかし、このコンソールボックスは一つのリッドを縦方向と横方向とに回動させるため、構造が複雑であり、かつ、動作の安定性に劣る問題がある。さらに、リッドが縦方向と横方向との一方に回動したときには、リッドを他方に回動させるためのジョイント部材などが露出する。ユーザーが露出したジョイント部材に触れると、動作の安定性がさらに悪化する可能性がある。さらに、ジョイント部材が露出することで、コンソールボックスの意匠性が悪くなる問題もある。
【特許文献１】特開平８−４８１８９号公報
【発明の開示】
【発明が解決しようとする課題】
【０００６】
本発明は上記事情に鑑みて成されたものであり、２方向に開閉し、簡単な構造であり、安定に動作し、意匠性に優れるコンソールボックスを提供することを目的とする。
【課題を解決するための手段】
【０００７】
上記課題を解決する本発明のコンソールボックスは、第１開口１０を持つ箱状をなすケース本体１と、第２開口２００を持つ枠状をなし、ケース本体１に枢支され、第２開口２００を第１開口１０に向けつつ第１開口１０に近接するインナー閉位置と第１開口１０から離間するインナー開位置との間を第１の方向に回動するインナー部材２と、インナー部材２に枢支され、第２開口２００に近接するカバー閉位置と第２開口２００から離間するカバー開位置との間を第１の方向と交叉する第２の方向に回動するカバー部材３と、インナー部材２をインナー閉位置でケース本体１にロックするインナーロック手段４と、カバー部材３をカバー閉位置でインナー部材２にロックするカバーロック手段５と、カバー部材３がカバー開位置に配置されているときに、インナー部材２のインナー閉位置からインナー開位置への回動を抑止するインナー補助ロック手段７と、インナー部材２がインナー開位置に配置されているときに、カバー部材３のカバー閉位置からカバー開位置への回動を抑止するカバー補助ロック手段６と、を持つことを特徴とする。
【０００８】
本発明のコンソールボックスは、下記の（１）〜（３）の少なくとも一つを備えるのが好ましい。
【０００９】
（１）上記インナー補助ロック手段４は、上記カバー部材３が上記カバー開位置に配置されているときに、上記インナーロック手段４のロック解除動作に干渉し、上記カバー補助ロック手段６は、上記インナー部材２が上記インナー開位置に配置されているときに、上記カバーロック手段５のロック解除動作に干渉する。
【００１０】
（２）上記インナー補助ロック手段４は、上記カバー部材３が上記カバー閉位置以外の位置に配置されているときに、上記インナーロック手段４のロック解除動作に干渉し、上記カバー補助ロック手段６は、上記インナー部材２が上記インナー閉位置以外の位置に配置されているときに、上記カバーロック手段５のロック解除動作に干渉する。
【００１１】
（３）上記カバー補助ロック手段６および上記インナー補助ロック手段７は、上記インナー部材２の内部に設けられている。
【発明の効果】
【００１２】
本発明のコンソールボックスは、ケース本体とインナー部材とカバー部材とを持つ。インナー部材はケース本体に枢支されているので、ケース本体に対して回動する。カバー部材はインナー部材に枢支されているので、インナー部材に対して回動する。インナー部材は枠状をなすため、インナー部材がインナー閉位置に配置されている状態（すなわち、インナー部材が、第２開口をケース本体の第１開口に向けつつ、ケース本体に近接している状態）で、カバー部材をカバー開位置に回動させると、インナー部材の第２開口を通してケース本体の第１開口が露出する。また、カバー部材がカバー閉位置に配置されている状態（すなわち、カバー部材がインナー部材の第２開口に近接している状態）で、インナー部材をインナー開位置に回動させると、インナー部材とカバー部材とが一体に回動して、ケース本体の第１開口が露出する。カバー部材とインナー部材とは互いに交叉する方向に回動するため、本発明のコンソールボックスは２方向に開閉する。
【００１３】
本発明のコンソールボックスにおいては、カバー部材はインナー部材に対して回動するだけであり、インナー部材はケース本体に対して回動するだけである。換言すると、本発明のコンソールボックスでは、リッドをインナー部材とカバー部材とで構成し、インナー部材をケース本体に対して回動させ、カバー部材をインナー部材に対して回動させることで、コンソールボックスを交叉する２方向に開閉させる。このため、本発明のコンソールボックスは、単純な構造にでき、動作の安定性に優れ、かつ、意匠性に優れる。
【００１４】
また、インナー部材がインナー開位置に配置されているときには、カバー補助ロック手段がカバー部材のカバー閉位置からカバー開位置への回動を抑止するため、インナー部材およびケース本体に対するカバー部材のバタツキを抑制できる。さらに、カバー部材がカバー開位置に配置されているときには、インナー補助ロック手段がインナー部材のインナー閉位置からインナー開位置への回動を抑止するため、カバー部材およびケース本体に対するインナー部材のバタツキを抑制できる。このため、本発明のコンソールボックスによると、カバー部材やインナー部材を安定に位置決めでき、かつ、カバー部材やインナー部材のバタツキによる騒音や意匠性の悪化を抑制できる。
【００１５】
上記（１）を備える本発明のコンソールボックスによると、インナー部材がインナー開位置に配置されているときに、カバー補助ロック手段はカバーロック手段のロック解除動作に干渉して、カバー部材のカバー閉位置からカバー開位置への回動を抑止する。また、カバー部材がカバー開位置に配置されているときに、インナー補助ロック手段はインナーロック手段のロック解除動作に干渉して、インナー部材のインナー閉位置からインナー開位置への回動を抑止する。このため上記（１）を備える本発明のコンソールボックスによると、インナー補助ロック手段およびカバー補助ロック手段を単純な構造にでき、コンソールボックスの動作の安定性をさらに向上させることができる。
【００１６】
上記（２）を備える本発明のコンソールボックスによると、インナー部材がインナー閉位置以外の位置に配置されているときに、カバー補助ロック手段はカバーロック手段のロック解除動作に干渉して、カバー部材のカバー閉位置からカバー開位置への回動を抑止する。また、カバー部材がカバー閉位置以外の位置に配置されているときに、インナー補助ロック手段はインナーロック手段のロック解除動作に干渉して、インナー部材のインナー閉位置からインナー開位置への回動を抑止する。このため上記（２）を備える本発明のコンソールボックスによると、インナー部材を回動させているときにおけるカバー部材のバタツキを抑制でき、かつ、カバー部材を回動させているときにおけるインナー部材のバタツキを抑制できる。よって、上記（２）を備える本発明のコンソールボックスによると、カバー部材やインナー部材をより安定に位置決めでき、かつ、カバー部材やインナー部材のバタツキによる騒音や意匠性の悪化をさらに抑制できる。
【００１７】
上記（３）を備える本発明のコンソールボックスは、カバー補助ロック手段およびインナー補助ロック手段が露出しないか、または、これらの露出が非常に少なくなる。このためカバー補助ロック手段およびインナー補助ロック手段は、ユーザーから触れられ難くなり、ユーザーから視認され難くなる。よって、上記（３）を備える本発明のコンソールボックスは、より一層動作の安定性に優れ、かつ、より一層意匠性に優れる。
【発明を実施するための最良の形態】
【００１８】
本発明のコンソールボックスにおけるインナー部材は、ケース本体の長手方向に沿って軸支してもよいし、ケース本体の長手方向に直交する方向に沿って軸支してもよい。すなわちインナー部材は、ケース本体に対して縦開きしてもよいし、横開きしてもよい。カバー部材も同様に、インナー部材およびケース本体に対して縦開きしてもよいし、横開きしてもよい。なお、インナー部材およびカバー部材は、その他の方向に軸支してもよい。
【００１９】
インナー部材は枠状をなせば良く、インナー部材の第２開口はケース本体の第１開口と一致した形状であってもよいし、一致した形状でなくてもよい。例えば、インナー部材の一部を箱状に形成してもよい。この場合には、インナー部材の第２開口を通じてケース本体の内部に荷物を出し入れでき、かつ、インナー部材の箱状部分を小物入れなどとして利用できる。
【００２０】
インナー補助ロック手段は、カバー部材がカバー開位置に配置されているときにインナー部材のインナー閉位置からインナー開位置への回動に干渉すれば良く、例えばインナーロック手段とは別の機構でインナー部材をケース本体にロックしても良いし、インナーロック手段のロック解除動作に干渉しても良い。インナー補助ロック手段がインナーロック手段のロック解除動作に干渉する場合には、インナー補助ロック手段の部品点数を低減できる利点がある。
【００２１】
インナー補助ロック手段をインナーロック手段のロック解除動作に干渉させる方法としては、例えば、インナー補助ロック手段をインナーロック手段に係合させたり、インナー補助ロック手段をインナーロック手段の動作領域に侵入させたりする方法が挙げられる。インナーロック手段が複数の構成部材を持つ場合には、インナー補助ロック手段を少なくとも一つのインナーロック手段の構成部材に係合させるか、少なくとも一つのインナーロック手段の構成部材の動作領域に侵入させれば、インナーロック手段のロック解除動作に干渉できる。カバー補助ロック手段に関しても同様である。
【実施例】
【００２２】
以下、本発明のコンソールボックスを具体的に説明する。
【００２３】
実施例のコンソールボックスは、上記（１）〜（３）を備える。実施例のコンソールボックスの主要構成部材を模式的に表す分解斜視図を図１に示す。実施例のコンソールボックスが開閉動作している様子を模式的に表す斜視図を図２〜図４に示す。実施例のコンソールボックスが開閉動作している様子を模式的に表す説明図を図５〜図１０に示す。詳しくは、図５〜図７はインナーロック手段およびインナー補助ロック手段の動作を説明する説明図である。図８〜図１０はカバーロック手段およびカバー補助ロック手段の動作を説明する説明図である。以下、実施例において上、下、左、右、前、後とは、図２に示す上、下、左、右、前、後を指す。
【００２４】
実施例のコンソールボックスは、ケース本体１と、インナー部材２と、カバー部材３と、インナーロック手段４と、カバーロック手段５と、カバー補助ロック手段６と、インナー補助ロック手段７とを持つ。
【００２５】
図１に示すように、ケース本体１は開口（第１開口１０）を上方に向けた箱状をなす。ケース本体１の長手方向は前後方向である。ケース本体１の上端部（第１開口１０の周縁部）は、外方に向けて額縁状に延びている。ケース本体１の左壁後端部と右壁後端部とには、それぞれ、後方に延びる第１枢支座部１１が形成されている。各第１枢支座部１１には、それぞれ、第１枢支部１２が形成されている。各第１枢支部１２は左右方向に延びる貫通孔状をなす。さらに、ケース本体１の左右側壁の前上部には、それぞれ、孔状の閂係合部１３が形成されている。ケース本体１の左側壁に形成されている閂係合部１３には、後述する第１閂部４３の左端部が係合する。ケース本体１の右側壁に形成されている閂係合部１３には、後述する第２閂部４４の右端部が係合する。
【００２６】
インナー部材２は、インナー本体部２０と、インナーロック保持部２１と、軸保持部２２と、第１枢支軸（図略）と、２つの第２枢支部２４と、インナー付勢部材（図略）と、インナカバー部２６とを持つ。
【００２７】
インナー本体部２０は第２開口２００を持つ枠状をなす。第２開口２００は、第１開口１０とほぼ同形状である。インナーロック保持部２１は、インナー本体部２０の前側に形成されている。インナーロック保持部２１の上壁は、インナー本体部２０の上壁よりも上方に突出している。また、インナーロック保持部２１は、上下に延びる２つの取付壁２１０を持つ。インナーロック保持部２１は、後述するインナーロック手段４およびカバー補助ロック手段６を保持するための台座である。軸保持部２２は、インナー本体部２０の後側に形成されている。軸保持部２２は、第１枢支軸を保持するための台座である。軸保持部２２の上側には、後述するカバー本体部３１とは別体のインナカバー部２６が固定されている。第１枢支軸は、左右方向（すなわち長手方向と直交する方向）に延び、軸保持部２２の下側に固定されている。第１枢支軸は第１枢支部１２に枢支されている。したがって、インナー部材２はケース本体１に対して縦開きする（図４）。第１枢支軸には、巻きバネからなるインナー付勢部材が外装されている。インナー付勢部材は、インナー部材２を開方向に付勢する。軸保持部２２、第１枢支軸および第１枢支部１２は、インナカバー部２６で覆われている。
【００２８】
また、インナー本体部２０の右壁２０１には、前後に延びる長孔状のロック孔２０２が形成されている。ロック孔２０２は、後述する鉤本体部５２１と係合する。さらに、インナー本体部２０の右壁２０１は、図８〜図１０に示すように、左方に開口する中空状をなす。右壁２０１の上面には貫通孔状の上孔２０３が形成されている。右壁２０１の下面には貫通孔状の下孔２０４が形成されている。インナー本体部２０の左壁２０５の前端部と左壁２０５の後端部とには、それぞれ、左方に延びる第２枢支座部２０６が形成されている。２つの第２枢支座部２０６には、それぞれ、第２枢支部２４が形成されている。各第２枢支部２４は、前後に延びる貫通孔状をなす。
【００２９】
カバー部材３は、カバーベース部３０と、カバー本体部３１と、カバーロック保持部３２と、４つの第３枢支部３３と、第２枢支軸３４と、カバー付勢部材３５とを持つ。
【００３０】
カバーベース部３０は、ケース本体１の上端部に対応した湾曲板状をなす。カバーベース部３０の左側には、左方に延びる４つの第３枢支座部３００（一部図略）が形成されている。各第３枢支座部３００は、互いに離間しつつ前後方向に配列している。各第３枢支座部３００には、それぞれ、第３枢支部３３（一部図略）が形成されている。各第３枢支部３３は、前後方向に延びる貫通孔状をなす。各第３枢支部３３には、第２枢支軸３４が枢支されている。第２枢支軸３４は、前後方向に（すなわち長手方向に沿って）延びる。したがって、カバーベース部３０は、インナー部材２に対して横開きする（図３）。第２枢支軸３４には、巻きバネからなるカバー付勢部材３５が外装されている。カバー付勢部材３５は、カバーベース部３０を開方向に付勢する。
【００３１】
カバーロック保持部３２は、カバーベース部３０の右前側に形成されている。カバーロック保持部３２は、後述するカバーロック手段５とインナー補助ロック手段７とを保持するための台座である。カバーロック保持部３２は、後述するスイッチ部５０を保持するスイッチ保持部３２０と、後述する鉤部５２を保持する鉤保持部３２１と、後述するスイッチ規制部５４を保持する規制保持部３２２とを持つ。
【００３２】
カバー本体部３１は、カバーベース部３０に対応した湾曲板状をなし、カバーベース部３０の上側に固定されている。したがって、カバー本体部３１は、カバーベース部３０とともに、インナー本体部２０に対して横開きする。
【００３３】
インナーロック手段４は、ノブ部４０と、ノブ枢支軸４１と、ノブ付勢手段４２と、第１閂部４３と、第２閂部４４と、閂付勢手段４５と、閂規制部４６と、を持つ。
【００３４】
ノブ部４０は、把持部４００と、閂操作部４０１と、ノブ枢支部４０２と、規制孔部４０３を持つ。把持部４００は断面Ｌ字状をなす。閂操作部４０１は、把持部４００と一体に形成され把持部４００から後方に延びる。詳しくは、閂操作部４０１は、把持部４００から後方に延び、その先端が２つに分かれてそれぞれ下方に延びる。閂操作部４０１の左側先端部は、右側の面が左下方に向けて傾斜するテーパ状をなす。閂操作部４０１の右側先端部は、左側の面が右下方に向けて傾斜するテーパ状をなす。ノブ枢支部４０２は、把持部４００と閂操作部４０１との境界に形成され、左右方向に延びる貫通孔状をなす。ノブ枢支軸４１は、左右方向に延び、ノブ枢支部４０２に挿通されている。さらに、ノブ枢支軸４１は、インナーロック保持部２１の２つの取付壁２１０に形成されているノブ固定孔２１１に固定されている（図５〜図７）。ノブ部４０は、ノブ枢支軸４１を中心に、閂操作部４０１が上向きになるノブ退避位置と、閂操作部４０１が下向きになるノブ入力位置との間を回動する。図１に示すように、ノブ付勢手段４２は巻きバネからなり、ノブ枢支部４０２とノブ枢支軸４１との間に介装されている。ノブ付勢手段４２は、ノブ部４０をノブ退避位置に付勢する。規制孔部４０３は、ノブ枢支部４０２よりも後側に形成されている。規制孔部４０３は、左右方向に延びる貫通孔状をなす。
【００３５】
第１閂部４３は、略Ｌ字状をなす。第１閂部４３の一端部は上方に延びる。第１閂部４３の他端部は左方に延びる。第２閂部４４は第１閂部４３よりも右側に配置されている。第２閂部４４もまた略Ｌ字状をなす。第２閂部４４の一端部は上方に延びる。第２閂部４４の他端部は右方に延びる。第１閂部４３および第２閂部４４は左右方向にスライド可能である。
【００３６】
また、第１閂部４３と第２閂部４４との間には、閂付勢手段４５が介装されている。閂付勢手段４５は巻きバネからなり、第１閂部４３を左方に付勢するとともに第２閂部４４を右方に付勢する。閂規制部４６は、板状の規制本体部４６０と規制本体部４６０に一体に形成され右方に延びる脚部４６１とを持つ。規制本体部４６０は、インナーロック保持部２１の下側内部に配置されている。脚部４６１は、インナー本体部２０の上壁に固定されている。規制本体部４６０には左右に延びる長孔４６２が形成されている。この長孔４６２には、第１閂部４３の上端部および第２閂部４４の上端部が挿通されている。長孔４６２の周壁は、第１閂部４３の上端部と第２閂部４４の上端部とのストッパとして働く。
【００３７】
カバーロック手段５は、スイッチ部５０と、スイッチ付勢手段５１と、鉤部５２と、鉤枢支軸５３と、スイッチ規制部５４と、規制部付勢手段５５と、鉤付勢手段５６とを持つ。スイッチ部５０は、操作部５００と、スイッチ保持ピン５０１と、操作ピン５０２とを持つ。操作部５００は前後に延びる柱状をなす。スイッチ保持ピン５０１は、操作部５００と一体に形成され、操作部５００の左壁から左方に延びる棒状をなす。操作ピン５０２もまた、操作部５００と一体に形成され、操作部５００の左壁から左方に延びる棒状をなす。操作ピン５０２は、スイッチ保持ピン５０１よりも後側に配置されている。スイッチ部５０は、カバーロック保持部３２のスイッチ保持部３２０に保持されて、左方にスライドしてスイッチ規制部５４に近接するスイッチ入力位置と、右方にスライドしてスイッチ規制部５４から遠ざかるスイッチ退避位置との間を移動する。また、スイッチ保持部３２０とスイッチ保持ピン５０１との間には、スイッチ付勢手段５１が介装されている。図１に示すように、スイッチ付勢手段５１は巻きバネからなりスイッチ部５０を右方に（すなわちスイッチ退避位置に向けて）付勢する。
【００３８】
鉤部５２は、筒状をなし前後に延びる鉤鞘部５２０と、鉤鞘部５２０の後側部分に一体形成されている鉤本体部５２１と、鉤鞘部５２０の前側部分に一体形成されている入力部５２２とを持つ。鉤本体部５２１は下方に延び、その先端は左側に屈曲している。入力部５２２は板状をなし上方に延びる。鉤枢支軸５３は前後に延び、鉤鞘部５２０に挿通されている。鉤枢支軸５３は、カバーロック保持部３２の鉤保持部３２１に固定されている。鉤部５２は、巻きバネからなる鉤付勢手段５６によって、図８中時計回りに付勢されている。
【００３９】
スイッチ規制部５４は、板状をなす規制板部５４０と、規制板部５４０と一体に形成され規制板部５４０の下面から下方に延びる規制ピン部５４１とを持つ。規制板部５４０には貫通孔からなる通路部５４２が形成されている。スイッチ規制部５４は、カバーロック保持部３２の規制保持部３２２に保持され、上下方向にスライド可能である。なお、規制保持部３２２には、規制ピン部５４１に対応する位置に、貫通孔状のピン孔３２３が形成されている。規制ピン部５４１は、このピン孔３２３に入り込んでいる。スイッチ規制部５４が下方にスライドすると、規制ピン部５４１の先端は、ピン孔３２３の下側部分に配置される。スイッチ規制部５４が上方にスライドすると、規制ピン部５４１の先端は、ピン孔３２３の上側部分に配置される。さらに、スイッチ規制部５４が上方にスライドすると、通路部５４２はスイッチ部５０の操作ピン５０２に対面する。スイッチ規制部５４が下方にスライドすると、通路部５４２は操作ピン５０２よりも下方に配置される。さらに、カバー部材３がカバー閉位置に配置されると、ピン孔３２３はインナー本体部２０の上孔２０３に対面する。規制部付勢手段５５は、規制板部５４０の上面とカバー本体部３１の下面との間に介装され、規制板部５４０を下方に付勢する。
【００４０】
カバー補助ロック手段６は、インナーピン６０と、ピン付勢手段６１とを持つ。インナーピン６０は、上下に延びる棒状をなす。インナーピン６０の上端部と下端部とは中央部に比べて小径である。インナーピン６０は、インナー本体部２０の右壁２０１の内部に保持される。インナーピン６０の上端部は、右壁２０の上孔２０３に挿通されている。インナーピン６０の下端部は、右壁２０の下孔２０４に挿通されている。インナーピン６０は、上下方向にスライド可能であり、インナーピン６０の上端部は右壁２０の上孔２０３に出入可能であり、インナーピン６０の下端部は右壁２０の下孔２０４に出入可能である。インナーピン６０の長さは、右壁２０の高さよりも長く、下孔２０４が塞がれるとインナーピンの下端部は下孔２０４に入り込み、インナーピンの上端部は上孔２０３から露出する。ピン付勢手段６１は、インナーピン６０の上端部に外装され、インナーピン６０を下方に付勢する。したがって、下孔２０４が塞がれていないと、インナーピン６０の下端部は下孔２０４から露出し、インナーピンの上端部は上孔２０３に入り込む。
【００４１】
インナー補助ロック手段７は、ブラケット７０と、第１ギヤ７１と、第２ギヤ７２と、第３ギヤ７３と、第１ギヤ軸支軸７４と、第２ギヤ軸支軸７５と、第３ギヤ軸支軸７６と、入力ピン７７と、ノブ規制ピン７８と、ノブ規制ピン付勢手段７９と、ターンオーバースプリング７００と、を持つ。ブラケット７０は、インナー本体部２０のインナーロック保持部２１に取り付けられている。第１ギヤ軸支軸７４、第２ギヤ軸支軸７５、および第３ギヤ軸支軸７６は、ブラケット７０に固定されている。これらの枢支軸は、ブラケット７０の左側から右側に向けて、第１ギヤ軸支軸７４、第２ギヤ軸支軸７５、第３ギヤ軸支軸７６の順に配列している。第１ギヤ軸支軸７４には第１ギヤ７１が軸支されている。第２ギヤ軸支軸７５には第２ギヤ７２が軸支されている。第１ギヤ軸支軸７４には第３ギヤ７３が軸支されている。第１ギヤ７１と第２ギヤ７２とは噛合し、第２ギヤ７２と第３ギヤ７３とは噛合している。なお、第１ギヤ７１は、その一部にのみ歯列が形成されている。第１ギヤ７１のなかで歯列が形成されていない部分は、歯列が形成されている部分に比べて外周方向に突出している。この突出した部分を巻き上げ端部７１０と呼ぶ。第３ギヤ７３にはターンオーバースプリング７００の一端部が取り付けられている。入力ピン７７は第２枢支軸３４に一体化されている。入力ピン７７は、２つの突出部分を持つ異径の板状をなす。一方の突出部分を支持部７７０と呼び、他方の突出部分を押圧部７７１と呼ぶ。支持部７７０には、ターンオーバースプリング７００の他端部が取り付けられている。
【００４２】
ノブ規制ピン７８は、インナーロック保持部２１の左側取付壁２１０に形成されている規制ピン取付孔２１２に挿通されている。ノブ規制ピン７８は、左右方向にスライド可能である。ノブ規制ピン７８は、ノブ部４０がノブ退避位置に配置されたときに、ノブ部４０の規制孔部４０３に対面する。ノブ規制ピン付勢手段７９は巻きバネからなり、ノブ規制ピン７８と左側取付壁２１０との間に介装され、ノブ規制ピン７８を右方に付勢する。
【００４３】
実施例のコンソールボックスの動作を以下に説明する。
【００４４】
実施例のコンソールボックスにおけるインナー部材２は、第１枢支軸を中心に、ケース本体１の第１開口１０に近接するインナー閉位置（図２、図３）と、第１開口１０から離間するインナー開位置（図４）と、の間を回動する。また、実施例のコンソールボックスにおけるカバー部材３は、第２枢支軸３４を中心に、インナー部材２の第２開口２００に近接するカバー閉位置（図２、図４）と、第２開口２００から離間するカバー閉位置（図３）との間を回動する。したがって、インナー部材２がインナー閉位置に配置され、かつ、カバー部材３がカバー閉位置に配置されると、コンソールボックスは閉じられる（図２）。また、インナー部材２がインナー閉位置に配置され、かつ、カバー部材３がカバー開位置に配置されると、コンソールボックスは横開きされる（図３）。さらに、インナー部材２がインナー開位置に配置され、かつ、カバー部材３がカバー閉位置に配置されると、コンソールボックスは縦開きされる（図４）。すなわち、実施例のコンソールボックスにおける第１の方向は縦開き方向であり、第２の方向は横開き方向である。
【００４５】
（１．インナー部材２の動作）
インナー閉位置において、インナー部材２は、インナーロック手段４によってケース本体１にロックされる。詳しくは、図５に示すように、インナーロック手段４の閂付勢手段４５に付勢された第１閂部４３は左方にスライドし、第２閂部４４は右方にスライドする。このため、第１閂部４３の左端部はケース本体１の左壁に形成されている閂係合部１３に入り込み、第２閂部４４の右端部はケース本体１の右壁に形成されている閂係合部１３に入り込む。そして、第１閂部４３の左端部および第２閂部４４の右端部がそれぞれ対応する閂係合部１３と係合して、インナー部材２がケース本体１にロックされる。
【００４６】
インナー部材２がインナー閉位置に配置され、インナー部材２がケース本体１にロックされた状態で、インナーロック手段４をロック解除動作させると、インナー部材２はインナー閉位置からインナー開位置に回動する。詳しくは、ノブ部４０の把持部４００を引き上げると、ノブ部４０はノブ枢支部４０２を中心に回動して、閂操作部４０１を下方に向けるノブ入力位置に配置される（図６）。すると、第１閂部４３の上端部と第２閂部４４の上端部とが閂操作部４０１の左側先端部と右側先端部との間に入り込む。閂操作部４０１の右側先端部および左側先端部はテーパ状をなすため、閂操作部４０１が下方に移動すると、第１閂部４３は閂操作部４０１に押圧されて右方にスライドし、第２閂部４４は左方にスライドする。よって、第１閂部４３の左端部と閂係合部１３との係合が解除されるとともに、第２閂部４４の右端部と閂係合部１３との係合が解除される。このため、インナーロック手段４によるロックが解除される。インナーロック手段４によるロックが解除されると、インナー付勢部材によって開方向に付勢されているインナー部材２は、図２に示すインナー閉位置から図４に示すインナー開位置に回動して、コンソールボックスは縦開きされる。なお、把持部４００の引き上げ操作を止めると、ノブ部４０は、ノブ付勢手段４２の付勢力によってノブ退避位置に回動する。
【００４７】
ところで、インナー部材２がインナー閉位置に配置されている状態において、カバー部材３をカバー閉位置（図５）からカバー開位置（図７）に回動させると、カバー部材３が第１ギヤ７１の巻き上げ端部７１０を押圧する。すると、第１ギヤ７１は図５中反時計回りに回転し、第１ギヤ７１と噛合している第２ギヤ７２が図５中時計回りに回転し、第２ギヤ７２と噛合している第３ギヤ７３が図５中反時計回りに回転する。すると、第３ギヤ７３に固定されているターンオーバースプリング７００は、図５に示す解除付勢位置から図７に示すロック付勢位置に移動する。ターンオーバースプリング７００がロック付勢位置に移動すると、ターンオーバースプリング７００に固定されている入力ピン７７が図５中時計回りに回転して、入力ピン７７の押圧部７７１がノブ規制ピン７８を右方に押圧する。上述したように、ノブ規制ピン７８は、ノブ部４０がノブ退避位置に配置されたときにノブ部４０の規制孔部４０３に対面するため、入力ピン７７に押圧されたノブ規制ピン７８は規制孔部４０３に入り込み、ノブ部４０に係合してノブ部４０の回動に干渉する。ノブ部４０が回動できなくなると、インナーロック手段４がロック解除動作できなくなる。すなわち、カバー部材３がカバー開位置に配置されているときに、インナー補助ロック手段７はインナーロック手段４のロック解除動作に干渉する。
【００４８】
カバー部材３を、カバー開位置（図７）からカバー閉位置（図５）に回動させると、カバー部材３が第１ギヤ７１の回転領域から外れ、カバー部材３による巻き上げ端部７１０の押圧が解除される。このため、第１ギヤ７１、第２ギヤ７２および第３ギヤ７３が回転可能になる。第３ギヤ７３が回転可能になると、ターンオーバースプリング７００はロック付勢位置から解除付勢位置に移動できるようになり、入力ピン７７が図７中反時計回りに回転できるようになる。このため、入力ピン７７によるノブ規制ピン７８への押圧力が解除される。一方、ノブ規制ピン７８はノブ規制ピン付勢手段７９によって左方向に付勢されている。このため、入力ピン７７による押圧力が解除されたノブ規制ピン７８は、ノブ規制ピン付勢手段７９の付勢力によって、左方向にスライドする。すると、入力ピン７７が図７中反時計回りに回転し、ターンオーバースプリング７００がロック付勢位置から解除付勢位置に移動し、第３ギヤ７３が図７中時計回りに回転し、第２ギヤ７２が図７中反時計回りに回転し、第１ギヤ７１が図７中時計回りに回転して、インナー補助ロック手段７は図５に示す状態に戻る。このため、インナーロック手段４はロック解除動作可能になる。
【００４９】
（２．カバー部材３の動作）
カバー閉位置において、カバー部材３は、カバーロック手段５によってインナー部材２にロックされる。詳しくは、図８に示すように、カバーロック手段５の鉤部５２は、鉤付勢手段５６によって図８中時計回りに付勢されている。したがって、鉤部５２の鉤本体部５２１は、インナー部材２のロック孔２０２に入り込む。したがって、鉤本体部５２１とロック孔２０２とが係合して、カバー部材３がインナー部材２にロックされる。
【００５０】
インナー部材２がインナー閉位置に配置され、カバー部材３がインナー部材２にロックされた状態で、カバーロック手段５を解除動作させると、カバー部材３がカバー閉位置からカバー開位置に回動する。詳しくは、図８に示すように、カバー部材３がインナー部材２にロックされているときには、カバー部材３はカバー閉位置に配置されている。このとき、インナー部材２の下面はケース本体１の上面に当接して下孔２０４はケース本体１で塞がれている。さらに、カバーベース部３０の下面はインナー部材２の上面に当接し、カバーベース部３０のピン孔３２３はインナー部材２の上孔２０３に対面している。したがって、インナーピン６０の上端部は上孔２０３から露出してピン孔３２３に入り込み、規制ピン部５４１はインナーピン６０に押圧されて上方にスライドする。このため、スイッチ規制部５４は上方にスライドし、通路部５４２がスイッチ部５０の操作ピン５０２に対面する。このときスイッチ部５０を押圧してスイッチ入力位置に配置させると、操作ピン５０２が通路部５４２を通り抜けて、鉤部５２の入力部５２２を押圧する。すると、鉤部５２は鉤枢支軸５３を中心に図８中反時計回りに回転し、鉤本体部５２１がロック孔２０２から外れる（図９）。このため、鉤本体部５２１とロック孔２０２との係合が解除され、カバーロック手段５によるロックが解除される。カバーロック手段５によるロックが解除されると、カバー付勢手段３５によって開方向に付勢されているカバー部材３は、図２に示すカバー閉位置から図３に示すカバー開位置に回動して、コンソールボックスは横開きされる。スイッチ部５０はスイッチ付勢手段５１によってスイッチ退避位置に付勢されているため、スイッチ部５０の押圧操作を止めると、スイッチ部５０は右方にスライドしてスイッチ退避位置に移動する。
【００５１】
ところで、インナー部材２をインナー閉位置（図８）からインナー開位置に回動させる際には、インナー部材２の下面がケース本体１の上面から離れてインナー部材２の下孔２０４が解放される（図１０）。このため、ピン付勢手段の付勢力によってインナーピン６０が下方にスライドし、インナーピン６０の下端部が下孔２０４から露出するとともにインナーピン６０の上端部が上孔２０３に入り込む。このときインナーピン６０の上端部はピン孔３２３から外れ、規制ピン部５４１は下方にスライド可能になる。すると、規制部付勢手段の付勢力によってスイッチ規制部５４が下方にスライドし、通路部５４２が操作ピン５０２よりも下方に配置される。このため、この状態でスイッチ部５０を押圧しても、操作ピン５０２はスイッチ規制部５４の壁面に当接するだけで入力部５２２を押圧できない。このため、カバーロック手段５がロック解除動作できなくなる。すなわち、インナー部材２がインナー開位置に配置されているときに、カバー補助ロック手段６はカバーロック手段５のロック解除動作に干渉する。
【００５２】
インナー部材２を、インナー閉位置（図８）に回動させると、インナーピン６０の下端部がケース本体１の上面に押圧されてインナーピン６０が上方にスライドする。すると、インナーピン６０の上端部が上孔２０３から露出してピン孔３２３に入り込み、スイッチ規制部５４を上方にスライドさせる。したがって、カバーロック手段５は、ロック解除動作可能になる。
【００５３】
実施例のコンソールボックスは、インナー部材２の回動によって縦開きし、カバー部材３の回動によって横開きするので、縦横両方向に開閉する。このため、実施例のコンソールボックスは操作性に優れる。
【００５４】
さらに、実施例のコンソールボックスは、インナー部材２がケース本体１に対して回動することで縦開きし、カバー部材３がインナー部材２に対して回動することで横開きするため、単純な構造で縦横両方向に開閉する。このため、実施例のコンソールボックスは、構造が単純であり、動作の安定性に優れるとともに意匠性に優れる。
【００５５】
さらに、インナー部材２がインナー開位置に配置されているときにはカバー補助ロック手段６がカバーロック手段５のロック解除動作に干渉し、カバー部材３がカバー開位置に配置されているときにはインナー補助ロック手段７がインナーロック手段４のロック解除動作に干渉する。このため実施例のコンソールボックスは、単純な構造であり、かつ、インナー部材２およびケース本体１に対するカバー部材３のバタツキと、カバー部材３およびケース本体１に対するインナー部材２のバタツキとを抑制できる。
【００５６】
さらに、カバー補助ロック手段６およびインナー補助ロック手段７は、インナー部材２の内部に設けられているため、ユーザーに触られ難い。このため、カバー補助ロック手段６およびインナー補助ロック手段７は信頼性高く動作し、実施例のコンソールボックスの動作の安定性はさらに向上する。また、カバー補助ロック手段６およびインナー補助ロック手段７はユーザーから視認され難いため、実施例のコンソールボックスは意匠性にも優れる。
【図面の簡単な説明】
【００５７】
【図１】実施例のコンソールボックスの主要構成部材を模式的に表す分解斜視図である。
【図２】実施例のコンソールボックスが開閉動作している様子を模式的に表す斜視図である。
【図３】実施例のコンソールボックスが開閉動作している様子を模式的に表す斜視図である。
【図４】実施例のコンソールボックスが開閉動作している様子を模式的に表す斜視図である。
【図５】実施例のコンソールボックスが開閉動作している様子を模式的に表す説明図である。
【図６】実施例のコンソールボックスが開閉動作している様子を模式的に表す説明図である。
【図７】実施例のコンソールボックスが開閉動作している様子を模式的に表す説明図である。
【図８】実施例のコンソールボックスが開閉動作している様子を模式的に表す説明図である。
【図９】実施例のコンソールボックスが開閉動作している様子を模式的に表す説明図である。
【図１０】実施例のコンソールボックスが開閉動作している様子を模式的に表す説明図である。
【符号の説明】
【００５８】
１：ケース本体              ２：インナー部材          ３：カバー部材
４：インナーロック手段      ５：カバーロック手段      ６：カバー補助ロック手段
７：インナー補助ロック手段  １０：第１開口            ２００：第２開口
【図１】
2009120123.tif 000003
【図２】
2009120123.tif 000004
【図３】
2009120123.tif 000005
【図４】
2009120123.tif 000006
【図５】
2009120123.tif 000007
【図６】
2009120123.tif 000008
【図７】
2009120123.tif 000009
【図８】
2009120123.tif 000010
【図９】
2009120123.tif 000011
【図１０】
2009120123.tif 000012